(57)【特許請求の範囲】
【請求項１】
光を放射する光源ユニットと、前記光源ユニットから放射される光を照明空間に向けて反射する反射部材とを備え、前記光源ユニットと前記反射部材との間に、前記照明空間に向けて開口する凹所が形成された照明器具であって、
前記光源ユニットは、基板に実装された１乃至複数の発光素子と、前記基板が取り付けられる取付部材と、透光性を有し且つ前記発光素子を覆うように前記取付部材に取り付けられるカバー部材とを具備し、
前記カバー部材は、主部と、前記主部の幅方向における両端部より互いに並行するように前記照明空間と反対側に突出した第１突壁部及び第２突壁部と、前記第１突壁部及び前記第２突壁部の各々から外側に延出して前記凹所の開口面と重なる延出部とを有し、前記凹所は、少なくとも前記第１突壁部又は前記第２突壁部と対向する内壁面が反射面となっていることを特徴とする照明器具。
【請求項２】
前記カバー部材は、乳白色の拡散材が混入された材料により形成され、前記凹所の内壁面は、白色塗装が施されていることを特徴とする請求項１記載の照明器具。
【請求項３】
前記取付部材は、長尺且つ矩形板状に形成された底壁部と、前記底壁部の幅方向における両端から前記底壁部と交差する方向に延出する第１側壁部及び第２側壁部とで形成されており、
前記取付部材は、前記カバー部材が取り付けられる際には、前記第１側壁部が前記第１突壁部と対向し且つ前記第２側壁部が前記第２突壁部と対向するようにして前記第１突壁部と前記第２突壁部との間に配置され、
前記第１突壁部の先端に設けられた突起部を前記第１側壁部の先端部に引っ掛け且つ前記第２突壁部の先端に設けられた突起部を前記第２側壁部の先端部に引っ掛けることで、前記カバー部材が前記取付部材に取り付けられることを特徴とする請求項１又は２記載の照明器具。
【発明の詳細な説明】
【技術分野】
【０００１】
本発明は、照明器具に関するものである。
【背景技術】
【０００２】
近年、従来の蛍光ランプや白熱ランプに代えて発光ダイオードを光源とする照明器具が急速に普及してきている。発光ダイオードを光源とする照明器具の従来例として、特許文献１に記載のものを例示する。
【０００３】
この照明器具は、横長且つ長尺状に形成された器具本体と、係止部材を用いて器具本体に取り付けられる光源部とを備え、器具本体の略中央には光源部を収容するための収容凹部が全長に亘って設けられている。
【０００４】
また、光源部は、器具本体と同様に横長且つ長尺状に形成された取付部材と、複数の発光ダイオード（ＬＥＤ）がそれぞれ実装されて取付部材の下面に取り付けられる複数の基板と、複数の基板を覆うようにして取付部材に取り付けられるカバー部材とを有する。
【０００５】
そして、一体に組み付けられた光源部は、その一部が器具本体の収容凹部に収容された状態で、係止部材を用いて器具本体に取り付けられる。なお、カバー部材は、アクリル樹脂等の透光性材料で長尺の略半円筒状に形成され、ＬＥＤから放射される光を透過させるとともに拡散させている。
【先行技術文献】
【特許文献】
【０００６】
【特許文献１】特開２０１２−３９９３号公報
【発明の概要】
【発明が解決しようとする課題】
【０００７】
ところで、特許文献１記載の従来例では、カバー部材の長手方向に沿った側端部と、器具本体の収容凹部の側壁との間に隙間が空いている。そのため、カバー部材及び器具本体の側板部（収容凹部の外側の部分）の輝度に比べて、上記隙間の部分の輝度が著しく低下してしまい、カバー部材の両脇に暗い筋が生じて見栄えが良くないという問題があった。
【０００８】
本発明は、上記課題に鑑みて為されたものであり、従来例に比べて見栄えの向上を図ることを目的とする。
【課題を解決するための手段】
【０００９】
本発明の照明器具は、光を放射する光源ユニットと、前記光源ユニットから放射される光を照明空間に向けて反射する反射部材とを備え、前記光源ユニットと前記反射部材との間に、前記照明空間に向けて開口する凹所が形成された照明器具であって、前記光源ユニットは、基板に実装された１乃至複数の発光素子と、前記基板が取り付けられる取付部材と、透光性を有し且つ前記発光素子を覆うように前記取付部材に取り付けられるカバー部材とを具備し、前記カバー部材は、主部と、前記主部の幅方向における両端部より互いに並行するように前記照明空間と反対側に突出した第１突壁部及び第２突壁部と、前記第１突壁部及び前記第２突壁部の各々から外側に延出して前記凹所の開口面と重なる延出部とを有し、前記凹所は、少なくとも前記第１突壁部又は前記第２突壁部と対向する内壁面が反射面となっていることを特徴とする。
【００１０】
この照明器具において、前記カバー部材は、乳白色の拡散材が混入された材料により形成され、前記凹所の内壁面は、白色塗装が施されているのが好ましい。
【００１１】
また、この照明器具において、前記取付部材は、長尺且つ矩形板状に形成された底壁部と、前記底壁部の幅方向における両端から前記底壁部と交差する方向に延出する第１側壁部及び第２側壁部とで形成されており、前記取付部材は、前記カバー部材が取り付けられる際には、前記第１側壁部が前記第１突壁部と対向し且つ前記第２側壁部が前記第２突壁部と対向するようにして前記第１突壁部と前記第２突壁部との間に配置され、前記第１突壁部の先端に設けられた突起部を前記第１側壁部の先端部に引っ掛け且つ前記第２突壁部の先端に設けられた突起部を前記第２側壁部の先端部に引っ掛けることで、前記カバー部材が前記取付部材に取り付けられるのも好ましい。
【発明の効果】
【００１２】
本発明の照明器具は、発光素子から放射されてカバー部材の内部を導光される光が、光源ユニットと反射部材との間に形成された凹所へ出射されると、凹所の内壁面で反射され、カバー部材の延出部を通して照明空間へ出射される。これにより、凹所（延出部）における輝度の低下が抑えられ、カバー部材の両端に暗い筋が生じ難くなり、その結果、従来例に比べて見栄えの向上を図ることができるという効果がある。
【図面の簡単な説明】
【００１３】
【図１】本発明に係る照明器具の実施形態を示す要部の断面図である。
【図２】同上の分解斜視図である。
【図３】同上の斜視図である。
【図４】同上の断面図である。
【図５】同上における光源ユニットを示し、（ａ）は上面図、（ｂ）は側面半断面図、（ｃ）は下面半断面図、（ｄ）は側面図である。
【図６】同上における光源ユニットの断面図である。
【図７】同上における点灯モジュールを示し、（ａ）は上面図、（ｂ）は側面図、（ｃ）は下面図である。
【図８】同上における器具本体を示し、（ａ）は下面図、（ｂ）は側面図、（ｃ）は側面図である。
【発明を実施するための形態】
【００１４】
以下、天井に配設される照明器具に本発明の技術思想を適用した実施形態について説明する。したがって、本実施形態における照明空間とは、天井に配設される照明器具の下方の空間を意味している。ただし、本実施形態では発光素子として発光ダイオード（ＬＥＤ）を例示するが、ＬＥＤ以外の発光素子、例えば、有機エレクトロルミネッセンス素子などが用いられても構わない。なお、以下の説明では、特に断りの無い限り、図２において上下左右及び前後の各向きを規定する。
【００１５】
本実施形態の照明器具は、図２に示すように器具本体１と、器具本体１に対して着脱自在に取り付けられる点灯モジュール２とを備える。
【００１６】
点灯モジュール２は、複数（図示例では４つ）の光源ユニット３、複数（図示例では２つ）の点灯装置４、取付板５、複数（図示例では３つ）の反射部材６などを備える。
【００１７】
光源ユニット３は、図５に示すように複数（図示例では２枚）の基板３１、基板３１が取り付けられる取付部材３２、基板３１を覆うようにして取付部材３２に取り付けられるカバー部材３３などを有する。
【００１８】
基板３１は、絶縁材料（例えば、セラミック）によって長尺の板状に形成されている。基板３１の表面（下面）には、複数個のＬＥＤ（発光素子）３０が、基板３１の短手方向における中央部において、基板３１の長手方向に沿って２列に並べて実装されている（図５（ｃ）参照）。これらのＬＥＤ３０は、例えば、青色光を放射するＬＥＤチップが、蛍光材料を含む封止材（例えば、シリコーン樹脂）で封止されてなる。
【００１９】
つまり、ＬＥＤチップから放射される光の一部が蛍光材料で波長変換され、波長変換された光（例えば、黄色光）と波長変換されなかった光（青色光）が混ざることにより、ＬＥＤ３０から放射される光が全体として白色光となる。
【００２０】
また、基板３１表面の短手方向におけるＬＥＤ３０の外側に、各ＬＥＤ３０のアノード及びカソードを電気的に接続するための導電体（図示せず）が形成されている。さらに、基板３１表面の長手方向における両端にコネクタ３１１，３１２が実装され、各コネクタ３１１，３１２に上記導電体が接続されている。一方のコネクタ３１１は電線３１３を介して、後述するレセプタクルコネクタ３４に接続されている。また、他方のコネクタ３１２は、隣の基板３１に実装されているコネクタ３１２と接続される。
【００２１】
さらに、基板３１の短手方向の両端部には、厚み方向（上下方向）に貫通する矩形の挿通孔３１０が長手方向に沿って複数（図示例では４つ）設けられている。なお、これらの挿通孔３１０は、後述するように各々固定部３２２が挿通されるものであり、各固定部３２２と対応する位置に設けられている。
【００２２】
取付部材３２は、板金に曲げ加工を施すことにより、長尺且つ矩形板状の底壁部３２０と、側壁部３２１ａ（第１側壁部）及び側壁部３２１ｂ（第２側壁部）とを有する角樋状に形成されている（図６参照）。側壁部３２１ａ，３２１ｂは、底壁部３２０の左右方向（短手方向）における両端から上下方向に延出する。底壁部３２０の略中央部には、基板３１を収容するための凹所３２００が全長に亘って設けられている。
【００２３】
また、側壁部３２１ａ，３２１ｂの先端には、互いに離れる方向に傾斜する傾斜部３２１０がそれぞれ全長に亘って設けられている。なお、底壁部３２０の長手方向における一端側に電線挿通孔３２０１が貫通しており、この電線挿通孔３２０１を通して電線３１３が底壁部３２０の上面側に引き出されている（図５参照）。
【００２４】
また、凹所３２００には、基板３１の複数の挿通孔３１０に挿通される複数（図示例では８つ）の固定部３２２が、ＬＥＤ３０を挟んで対向する位置に設けられている。これらの固定部３２２は、凹所３２００の底を切り起こすことで鈎形に形成されている。そして、各固定部３２２は、基板３１の挿通孔３１０に挿通された後、先端側がＬＥＤ３０から遠のく向きに曲げられることにより、凹所３２００の底との間に基板３１を挟み込んで固定する（図５（ｃ）参照）。
【００２５】
ここで、底壁部３２０の底面及び基板３１の表面には、弾性材料製の反射シート３５が貼り付けられている。反射シート３５は、ポリエチレンテレフタレートなどの合成樹脂材料がシート状に形成されてなり、白色に着色されることで表面（接着剤が塗布されていない面）が反射面となるように形成されている。つまり、ＬＥＤ３０から放射される光を反射シート３５の反射面に反射させることで、より多くの光を照明空間に照射することができる。
【００２６】
また、図５に示すように、取付部材３２の底壁部３２０の上面側に、取付金具３４０を用いてレセプタクルコネクタ３４が取り付けられている。レセプタクルコネクタ３４は、長手方向の一端側で電線３１３と接続され、長手方向の他端側にプラグコネクタ（図示せず）が挿抜自在に接続される。プラグコネクタは給電線（図示せず）を介して点灯装置４に接続されており、プラグコネクタがレセプタクルコネクタ３４に差込接続されることで点灯装置４と光源ユニット３が電気的に接続される。
【００２７】
カバー部材３３は、図６に示すように透光性を有する材料（例えば、アクリル樹脂等）により、略半円筒形の主部３３０と、突壁部３３１ａ（第１突壁部）及び突壁部３３１ｂ（第２突壁部）とが一体に形成されている。突壁部３３１ａ，３３１ｂは、主部３３０の長手方向に沿った両端部より互いに並行するように上向きに突出している。なお、突壁部３３１ａ，３３１ｂの先端（上端）には、内向きに突出する突起部３３１０がそれぞれ一体に設けられている。
【００２８】
また、主部３３０の長手方向に沿った両端部には、主部３３０と連なるように突壁部３３１ａ及び突壁部３３１ｂの各々から外側に延出された延出部３３２がそれぞれ一体に形成されている。そして、カバー部材３３は、基板３１の表面を覆うように取付部材３２の下面側に取り付けられる。
【００２９】
このとき、突壁部３３１ａの突起部３３１０は、取付部材３２の側壁部３２１ａの傾斜部３２１０に係合され、突壁部３３１ｂの突起部３３１０は、取付部材３２１の側壁部３２１ｂの傾斜部３２１０に係合される。なお、カバー部材３３は乳白色の拡散材が混入され、ＬＥＤ３０から放射される光を拡散させて照明空間へ照射するように構成されている。
【００３０】
ここで、側壁部３２１ａ，３２１ｂの長手方向の中央から外向きに突設された凸部３２１１が、突壁部３３１ａ，３３１ｂの長手方向の中央に貫通した嵌合孔３３１１に嵌合している（図５（ｂ）及び図６参照）。つまり、一対の凸部３２１１をそれぞれ嵌合孔３３１１に嵌合することにより、取付部材３２に対するカバー部材３３の位置決めと、長手方向に沿ったカバー部材３３の移動規制とが実現できる。
【００３１】
また、光源ユニット３を取付板５に取り付けるため、一対の取付金具３６が取付部材３２の上面側に固定される。取付金具３６は、板金を曲げ加工することにより、矩形板状の固定片３６０と、固定片３６０の長手方向の両端部から下向きに曲げ起こされた一対の脚片３６１とが一体に形成されてなる。
【００３２】
固定片３６０の中央には、取付板５にねじ止めするためのねじ孔３６００が設けられている。また、各脚片３６１には、取付部材３２の側壁部３２１ａ，３２１ｂにねじ止めするためのねじ孔３６１０が設けられている。
【００３３】
つまり、取付部材３２の側壁部３２１ａ，３２１ｂ間に収められ、カバー部材３３の突壁部３３１ａ，３３１ｂに貫設されたねじ挿通孔３３１２と、側壁部３２１ａ，３２１ｂに貫設されたねじ挿通孔３２１２とに挿通された固定ねじ３６２が、固定片３６０のねじ孔３６００にねじ込まれることで取付金具３６が取付部材３２に固定される。
【００３４】
なお、カバー部材３３の挿通孔３３１２は、カバー部材３３の長手方向を長軸方向とする長孔状に形成されており（図５（ｂ）参照）、カバー部材３３が熱膨張した場合にねじ挿通孔３３１２の周辺に割れなどの不具合が生じないようにしている。
【００３５】
２つの点灯装置４は何れも同一の構成を有し、交流の電圧・電流を直流の電圧・電流に変換する電力変換回路や入力端子台４１、２つの出力端子台４２、信号端子台４３などが実装されたプリント配線板を金属製のケース４０に収納して構成される（図７参照）。
【００３６】
ケース４０は、角樋状に形成されたケース本体４００と、ケース本体４００の上に被せられる箱形のケース蓋４０１とを組み立てて構成される。ただし、入力端子台４１、出力端子台４２、信号端子台４３が実装されているプリント配線板の長手方向の両端部はケース蓋４０１で覆われていない。
【００３７】
なお、２つの点灯装置４は電流容量が異なっており、電流容量が大きい方の点灯装置４は、電流容量が小さい方の点灯装置４よりも長手方向の寸法が大きくなっている。以下、電流容量が大きい方（長手方向の寸法が大きい方）の点灯装置４を第１点灯装置４Ａとし、電流容量が小さい方（長手方向の寸法が小さい方）の点灯装置４を第２点灯装置４Ｂとする。ただし、第１点灯装置４Ａと第２点灯装置４Ｂを区別しない場合は点灯装置４と表記する。
【００３８】
取付板５は、鋼板などの金属板が矩形（正方形）に加工されてなる。ただし、取付板５は、４つの辺が同じ向き（下向き）に曲げ起こされることで強度の向上が図られている。そして、４つの光源ユニット３は、長手方向に沿って互いに平行となり且つ隣の光源ユニット３との間隔が何れも等しくなるように並べた状態で取付板５の下面に固定される（図２及び図４参照）。
【００３９】
すなわち、取付板５には複数のねじ挿通孔（図示せず）が設けられており、各ねじ挿通孔に挿通される固定ねじ５０が、取付金具３６の固定片３６０に設けられているねじ孔３６００にねじ込まれることにより、光源ユニット３が取付板５に固定される。なお、取付板５には４つの窓孔５３が１つの辺に沿って等間隔且つ１列に並ぶように設けられており、各光源ユニット３のレセプタクルコネクタ３４がそれぞれ窓孔５３を通して取付板５の上面側に露出している（図７（ａ）参照）。
【００４０】
反射部材６は、隣り合う光源ユニット３の間に生じる３箇所のスペースにそれぞれ配置される。これらの反射部材６は同一の構成を有し、一対の反射板６０と、各反射板６０の上端から上向きに延出された一対の側板６１と、各側板６１の上端から水平外向きに突出する突板６２とが、長方形状の金属板を曲げ加工することで一体に形成されている（図２参照）。
【００４１】
一対の反射板６０は、長手方向に沿った一方の端縁同士が繋がっており、長手方向から見てＶ字状に形成されている。また、各突板６２の長手方向の両端近傍には、突板６２の一部が切り欠かれることで差込片６３が形成されている。そして、取付板５に設けられている複数の差込部５１にそれぞれ差込片６３が差し込まれることにより、取付板５に反射部材６が取り付けられる。なお、差込部５１は、取付板５の下面側に突出するとともに片側の側面が開口した凹所からなり、側面の開口から差込片６３が差し込まれる（図１参照）。
【００４２】
点灯装置（第１点灯装置４Ａ及び第２点灯装置４Ｂ）は、それぞれ長手方向を光源ユニット３の長手方向と一致させ、且つ出力端子台４２が配置されている側が窓孔５３に近くなる向きで、互いに間隔を空けて取付板５の上面にねじ止めされる（図７参照）。そして、第１点灯装置４Ａの片方の出力端子台４２に接続される給電線（図示せず）には、レセプタクルコネクタ３４と各別に接続される２つのプラグコネクタ（図示せず）が分岐接続されている。なお、第１点灯装置４Ａのもう片方の出力端子台４２に接続される給電線（図示せず）には、１つのプラグコネクタ（図示せず）のみが接続されている。
【００４３】
一方、第２点灯装置４Ｂの片方の出力端子台４２に接続される給電線（図示せず）には、１つのレセプタクルコネクタ３４のみが接続されている。つまり、第１点灯装置４Ａは、給電線及び３つのプラグコネクタを介して３つの光源ユニット３が接続され、これら３つの光源ユニット３を全て点灯させる。一方、第２点灯装置４Ｂは、給電線及び１つのプラグコネクタを介して１つの光源ユニット３に接続され、当該１つの光源ユニット３のみを点灯させる。
【００４４】
このように１つの点灯装置（第１点灯装置４Ａ）が複数（本実施形態では３つ）の光源ユニット３を点灯させるように構成すれば、全ての光源ユニット３を１つの点灯装置で各別に点灯させる場合と比較して、点灯装置の個数を減らすことができる。故に、点灯装置と光源ユニット３の間に給電線を配線する作業の簡素化を図ることができる。
【００４５】
しかも、本実施形態では、点灯装置４が光源ユニット３とともに取付板５に取り付けられ、点灯モジュール２として光源ユニット３と一体に器具本体１に取り付けたり、器具本体１から取り外すことができる。したがって、光源ユニット３が取付板５に取り付けられ、点灯装置４が器具本体１に取り付けられる場合と比較して、点灯装置４の交換やメンテナンスなどの作業を器具本体１から取り外した状態で行うことができる。その結果、施工作業やメンテナンス作業の作業性の向上を図ることができる。
【００４６】
また、第１点灯装置４Ａ並びに第２点灯装置４Ｂを、出力端子台４２が配置されている側が窓孔５３に近くなる向きで取付板５に取り付けているので、給電線を引き回す距離が短くなることで配線作業の作業性の向上を図ることもできる。
【００４７】
さらに、点灯装置４は、取付板５の厚み方向（下方向）おける投影範囲Ｘ１の少なくとも一部が、光源ユニット３の基板３１の前記厚み方向における投影範囲Ｘ２と重ならないように取付板５に取り付けられている（図４参照）。したがって、点灯装置４と基板３１（ＬＥＤ３０）との間の熱電動を抑制し、点灯装置４及びＬＥＤ３０のそれぞれにおける温度上昇を抑えることができる。
【００４８】
器具本体１は、図２及び図８に示すように鋼板などの金属板により、下面が開口した矩形箱状に形成されている。この器具本体１において、左右方向に対向する一対の側壁が下方に向かって外向きに傾斜しており、この傾斜した部分が反射板１３を構成している。また、器具本体１において、前後方向に対向する一対の側壁に、点灯モジュール２を固定するための固定片１４が切り起こして形成されている。
【００４９】
固定片１４は、長手方向の両端近くにねじ孔１４０がそれぞれ設けられる。そして、取付板５に設けられるねじ挿通孔（図示せず）に固定ねじ１４１が挿通され、各固定ねじ１４１が固定片１４のねじ孔１４０にそれぞれねじ込まれることにより、器具本体１内に収納された状態で点灯モジュール２が固定片１４に固定される。このとき、器具本体１の各反射板１３の長手方向と、光源ユニット３の長手方向とを一致させる向きで、点灯モジュール２が器具本体１に取り付けられる。
【００５０】
なお、ねじ挿通孔は、上下方向から見て反射部材６と重なる位置に設けられる。したがって、各反射部材６の反射板６０には、固定ねじ１４１並びにドライバの軸を挿通するための孔（図示せず）が長手方向の両端近くに貫通している。
【００５１】
また、器具本体１の底板１０には、商用電源用の電線挿通孔１００が貫通している。そして、この電線挿通孔１００に挿通された電源線（図示せず）は、底板１０に固定される電源端子台１５に接続される。電源端子台１５には、点灯装置４の入力端子台４１が電線（図示せず）を介して接続されており、電源端子台１５を介して点灯装置４に商用電源（交流電源）が供給される。また、底板１０には信号端子台１６も設けられており、電線挿通孔１００に挿通された信号線（図示せず）が信号端子台１６に接続される。
【００５２】
さらに、底板１０の中央には、吊りボルト８１が挿通される複数（図示例では５つ）のボルト挿通孔１０１が一列に並べて設けられる。すなわち、器具本体１は、これらのボルト挿通孔１０１に挿通される吊りボルト８１にナット８２が締め付けられることにより、天井板８に設けられる埋込孔８０に埋込配設される（図４参照）。なお、器具本体１の下端には、天井板８の下面に当接する矩形枠状のフランジ１２が設けられている。つまり、このフランジ１２は、埋込孔８０の内周縁と器具本体１との間に生じる隙間を塞ぐために設けられている。
【００５３】
ここで、点灯モジュール２においては、光源ユニット３と取付板５の差込部５１との干渉を避けるため、光源ユニット３（カバー部材３３の突壁部３３１ａ，３３１ｂ）と反射部材６の側板６１との間に隙間（凹所５２）を形成している（図１参照）。凹所５２は、照明空間に向けて開口しているが、その開口面（下面）はカバー部材３３の延出部３３２と重なって隠されている。
【００５４】
一方、光源ユニット３においては、ＬＥＤ３０から放射されてカバー部材３３の主部３３０に入射する光の一部が主部３３０の内部を導光され、延出部３３２及び突壁部３３１ａ，３３１ｂから凹所５２へ出射される。
【００５５】
そこで本実施形態では、凹所５２の内壁面（反射部材６の側板６１の表面及び取付板５の下面）を白色塗装などで反射面としている。これにより、延出部３３２及び突壁部３３１ａ，３３１ｂから凹所５２へ出射された光を反射し、延出部３３２を通してカバー部材３３の前方（下方）へ出射させている。その結果、凹所５２（延出部３３２）における輝度の低下が抑えられ、カバー部材３３の両端に暗い筋が生じ難くなるので、従来例に比べて見栄えの向上を図ることができる。
【００５６】
なお、カバー部材３３は、延出部３３２の厚み寸法が主部３３０の厚み寸法以下に形成されることが好ましい。つまり、延出部３３２の厚み寸法を主部３３０の厚み寸法以下とすることにより、凹所５２の内壁面に反射された後に延出部３３２を通過する光の量を増やすことができる。
【００５７】
ところで、延出部３３２から出射する光の一部は、隣り合う反射板６０に反射されて照明空間に照射される。このとき、延出部３３２から反射板６０までの距離は、主部３３０から反射板６０までの距離に比べて近いため、延出部３３２から出射した光により、反射板６０の一部に明るい筋が生じてしまうことがある。そこで本実施形態では、延出部３３２を、凹所５２に対して反射板６０よりも照明空間側（下側）に位置させないことにより、反射板６０の一部に明るい筋が生じ難くしている（図１参照）。
【００５８】
ここで、点灯モジュール２を構成する光源ユニット３の個数は４つに限定されるものではなく、３つ又は２つ、あるいは５つ以上であっても構わない。また、光源ユニット３を構成する基板３１の枚数も２枚に限定されるものではなく、１枚又は３枚以上であっても構わない。さらに、本発明に係る照明器具は天井板８の埋込孔８０に埋め込まれるものに限定されず、天井板８に直付けされるものであっても構わない。
【００５９】
なお、本実施形態では図示を省略しているが、グレアを抑制するためのルーバを器具本体１若しくは点灯モジュール２に設けてもよい。あるいは、透光性材料からなり且つ拡散性を有するパネルで器具本体１の開口を塞いでもよい。
【００６０】
本実施形態の照明器具は、光を放射する光源ユニット３と、光源ユニット３から放射される光を照明空間に向けて反射する反射部材６とを備え、光源ユニット３と反射部材６との間に、照明空間に向けて開口する凹所５２が形成されている。この照明器具において、光源ユニット３は、基板３１に実装された１乃至複数のＬＥＤ３０（発光素子）と、基板３１が取り付けられる取付部材３２と、透光性を有し且つＬＥＤ３０を覆うように取付部材３２に取り付けられるカバー部材３３とを具備する。カバー部材３３は、主部３３０と、突壁部３３１ａ（第１突壁部）及び突壁部３３１ｂ（第２突壁部）と、延出部３３２，３３２とを有する。突壁部３３１ａ，３３１ｂは、主部３３０の幅方向における両端部より互いに並行するように照明空間と反対側に突出する。延出部３３２，３３２は、突壁部３３１ａ，３３１ｂの各々から外側に延出して凹所５２の開口面と重なる。そして、凹所５２は、少なくとも突壁部３３１ａ又は突壁部３３１ｂと対向する内壁面が反射面となっている。
【００６１】
また、本実施形態の照明器具のように、カバー部材３３は、乳白色の拡散材が混入された材料により形成され、凹所５２の内壁面は、白色塗装が施されているのが好ましい。
【００６２】
また、本実施形態の照明器具のように、取付部材３２は、長尺且つ矩形板状に形成された底壁部３２０と、側壁部３２１ａ（第１側壁部）及び側壁部３２１ｂ（第２側壁部）とで形成されるのが好ましい。この場合、側壁部３２１ａ，３２１ｂは、底壁部３２０の幅方向における両端から底壁部３２０と交差する方向に延出する。取付部材３２は、カバー部材３３が取り付けられる際には、側壁部３２１ａが突壁部３３１ａと対向し且つ側壁部３２１ｂが突壁部３３１ｂと対向するようにして、突壁部３３１ａと突壁部３３１ｂとの間に配置される。そして、突壁部３３１ａの先端に設けられた突起部３３１０を側壁部３２１ａの先端部に引っ掛け且つ突壁部３３１ｂの先端に設けられた突起部３３１０を側壁部３２１ｂの先端部に引っ掛けることで、カバー部材３３が取付部材３２に取り付けられる。
【符号の説明】
【００６３】
３  光源ユニット
６  反射部材
３０  ＬＥＤ（発光素子）
３１  基板
３２  取付部材
３３  カバー部材
５２  凹所
３３０  主部
３３１ａ  突壁部（第１突壁部）
３３１ｂ  突壁部（第２突壁部）
３３２  延出部
【要約】
【課題】従来例に比べて見栄えの向上を図る。
【解決手段】光源ユニット３においては、ＬＥＤ３０から放射されてカバー部材３３の主部３３０に入射する光の一部が主部３３０の内部を導光され、延出部３３２及び突壁部３３１ａ，３３１ｂから凹所５２へ出射される。本実施形態では、凹所５２の内壁面（反射部材６の側板６１の表面及び取付板５の下面）を白色塗装などで反射面とすることにより、延出部３３２及び突壁部３３１ａ，３３１ｂから凹所５２へ出射された光を反射し、延出部３３２を通してカバー部材３３の前方（下方）へ出射させている。その結果、凹所５２（延出部３３２）における輝度の低下が抑えられ、カバー部材３３の両端に暗い筋が生じ難くなるので、従来例に比べて見栄えの向上を図ることができる。
【選択図】図１【図１】
0005498618.tif 000002
【図２】
0005498618.tif 000003
【図３】
0005498618.tif 000004
【図４】
0005498618.tif 000005
【図５】
0005498618.tif 000006
【図６】
0005498618.tif 000007
【図７】
0005498618.tif 000008
【図８】
0005498618.tif 000009